(57)【要約】【課題】必要貯留量等で必要とする抑制施設の大きさがブロックの倍数と微妙に異なる場合がある。かかる微妙な高さの調整を行う技術の提供にある。【解決手段】本発明は、雨水等の流出抑制施設の構築に用いられるブロックであって、本ブロックは盤体と盤体に開口する脚部を有するテーブル状部材と高さ調整部材からなり、当該高さ調整部材は本テーブル状部材の端部同士を対向させた対として使用するときに対向する脚部端部間あるいは盤部間に挿入され、対としてし使用するテーブル状部材の高さを調整する雨水等の流出抑制施設の構築に用いられるブロックである。 【選択図】図1
2016108817.tif 000002
【特許請求の範囲】
【請求項１】
雨水等の流出抑制施設の構築に用いられるブロックであって、本ブロックは盤体と盤体に開口する脚部を有するテーブル状部材と高さ調整部材からなり、当該高さ調整部材は本テーブル状部材の端部同士を対向させた対として使用するときに対向する脚部端部間に挿入され、対としてし使用するテーブル状部材の高さを調整する雨水等の流出抑制施設の構築に用いられるブロック。
【請求項２】
雨水等の流出抑制施設の構築に用いられるブロックであって、本ブロックは盤体と盤体に開口する脚部を有するテーブル状部材と高さ調整部材からなり、当該高さ調整部材は本テーブル状部材の端部同士を対向させた対として使用するときに対と対の間の盤体間に挿入され、対としてし使用するテーブル状部材の高さを調整する雨水等の流出抑制施設の構築に用いられるブロック。
【発明の詳細な説明】
【技術分野】
【０００１】
本発明は、雨水流出抑制用の貯留槽構築などに使用される新規なブロックの製造・使用技術に属する。
【背景技術】
【０００２】
一時的に雨水を貯留し、徐々に流出させる雨水流出抑制施設を構築するブロックとして平板状の平盤部に脚部を設けた熱可塑性樹脂を射出成形して製造されたテーブル状部材がある。（特開平２００９−５７６９５、特開平１０−２５２１０８）
上記テーブル状部材を使用して雨水流出抑制施設を構築する場合、固定された形状のため、計画された水槽の高さに当てはめるためにはその高さが微妙に異なる場合がある。かかる場合に使用する高さ調節部材の提供にある。
【先行技術文献】
【特許文献】
【０００３】
【特許文献１】特開平２００９−５７６９５
【特許文献２】特開平１０−２５２１０８
【発明の開示】
【発明が解決しようとする課題】
【０００４】
雨水流出抑制施設を構築するブロックとしてのテーブル状部材が射出成形で成形されるため、その形状はその高さ大きさなど決まっており自ずから構築する流出施設はその縦横高さは使用するブロックの大きさの倍数となる。しかしながら敷地の条件、必要貯留量等で必要とする抑制施設の大きさがブロックの倍数と微妙に異なる場合がある。かかる微妙な高さの調整を行う技術の提供にある。
【課題を解決するための手段】
【０００５】
本第１の発明は、雨水等の流出抑制施設の構築に用いられるブロックであって、本ブロックは盤体と盤体に開口する脚部を有するテーブル状部材と高さ調整部材からなり、当該高さ調整部材は本テーブル状部材の脚部端部同士を対向させた対として使用するときに対向する端部間に挿入され、対としてし使用するテーブル状部材の高さを調整する雨水等の流出抑制施設の構築に用いられるブロックである。
本第２の発明は、雨水等の流出抑制施設の構築に用いられるブロックであって、本ブロックは盤体と盤体に開口する脚部を有するテーブル状部材と高さ調整部材からなり、当該高さ調整部材は本テーブル状部材の端部同士を対向させた対として使用するときに対と対の間の盤体間に挿入され、対としてし使用するテーブル状部材の高さを調整する雨水等の流出抑制施設の構築に用いられるブロックである。
要求される施設の微妙な高さを調整するため、テーブル状部材の脚部端部同士を対向させた対として使用するときに対向する端部間あるいは盤部間に挿入され、対としてし使用するテーブル状部材の高さを調整する高さ調整部材を用いた。
【発明の効果】
【０００６】
本発明は、テーブル状部材の脚部端部同士を対向させた対として使用するときに対向する端部間あるいは盤部間に挿入され、対としてし使用するテーブル状部材の高さを調整する高さ調整部材を用いたため流出施設に要求される高さの設計の自由度が増す。
【図面の簡単な説明】
【０００７】
【図１】は、本発明に使用するブロックとしての第１のテーブル状部材と第１の高さ調整部材を挿入した対の概念図を示す。
【図２】は、本発明に使用するブロックとしての第２のテーブル状部材と第２の高さ調整部材を挿入した対の概念図を示す。
【図３】は、本発明に使用するブロックとしての第１のテーブル状部材と第３の高さ調整部材を挿入した対の概念図を示す。
【図４】は、本発明に使用するブロックとしての第１のテーブル状部材と第３の高さ調整部材の他の挿入方法を利用した対の概念図を示す。
【図５】は、本発明のテーブル状部材と高さ調整材の使用例を示す概念図である。
【図６】は、テーブル状部材の例を示す概念図である。
【発明を実施するための形態】
【０００８】
以下、本発明を図により詳細に説明する。
図５ａに示す通り、本発明のテーブル状部材はテーブル状部材を構成する平盤部と脚部から構成される。図５ｂに示すように片方を９０度回転し、両者を結合した対の状態で使用されることが多い。
平盤部は脚部を結合する空所である結合部とともに貯留する雨水が上下に流れ下るよう複数の孔が設けられている。平盤部の形状は正方形、長方形、あるいはそれらの端部を切り欠いた形状であり、全体として密着して平面状に配置できる形状であれば良い。脚部は一般には積み重ね・運搬の便を図るためテーパを設けた筒状形状を有し、その断面は円形、多角形、梅鉢形など任意に選ぶことができる。平盤部に設ける脚部の位置、個数も任意に設定可能である。
【０００９】
高さ調整部材は図１〜図２に示すように平板状あるいは両面に凸部を有し、対としたテーブル状部材の脚部端部間に挿入される。あるいは図３に示すように対としたテーブル状部材の平盤間に挿入される。脚部端部およびいずれの高さ調整部材も雨水等の流通が保たれるように貫通する孔部が設けられることが好ましい。
【００１０】
図１は、テーブル状部材と高さ調整部材の例を示すものである。図１ａに示すようにテーブル状部材の脚部端部は水平であり、図１ｂに示すように高さ調整材は脚部端部に合わせた平板状を示す。高さ調整材は図１ｃに示すように、テーブル状部材は互いに脚部を対向させた対とされ、脚部間に挿入される。要求される貯留槽の高さに合わせ高さ調整材の厚みが調整される。
【００１１】
図２は、テーブル状部材と高さ調整部材の例を示すものである。
図２ａに示すようにテーブル状部材の脚部端部は平盤に向かって凹部が設けられている。図２ｂに示すように高さ調整材は脚部端部に設けた凹部に合わせ平板両面に凸部が設けられている。高さ調整材は、図２ｃに示すように、テーブル状部材は互いに脚部を対向させた対とされ、脚部間に挿入される。要求される貯留槽の高さに合わせ高さ調整材の厚みが調整される。
要求される貯留槽の高さに合わせ高さ調整材の平板部の厚みが調整される。
【００１２】
図３は、テーブル状部材と高さ調整部材の例を示すものである。
図３ａに示すようにテーブル状部材は互いに脚部を対向させた対とされる。高さ調整材は、図３ｂに示すように平板状で、図３ｃに示すように、対とされた平盤間に挿入される。要求される貯留槽の高さに合わせ高さ調整材の厚みが調整される。
【００１３】
上記の高さ調整材は図４に示すように対の上端に載置させて高さ調整とすることもできる。
【００１４】
いずれの高さ調整材もテーブル状部材も互いに接続する箇所にオスメス継手などの継手部を設けておくのが好ましい。
【００１５】
図４は、テーブル状部材の対と高さ調整部材を用いた貯留槽の例を示す。
図で示すように高さ調整部材の使用により貯留槽の高さが調整されている。
【産業上の利用可能性】
【００１６】
図４に示すように、雨水の流出抑制用に使用される一時的貯留、汚染水などの一時貯留、あるいは軽量盛土の芯として使用される。
【符号の説明】
【００１７】
１  テーブル状部材
２  平盤部
３  脚部
【図１】
2016108817.tif 000003
【図２】
2016108817.tif 000004
【図３】
2016108817.tif 000005
【図４】
2016108817.tif 000006
【図５】
2016108817.tif 000007
【図６】
2016108817.tif 000008